(57)【要約】【課題】主要部品を変更することなく、収納スペースの異なるカメラ装置に光学性能を維持した状態で使用することができ、製造コストの低減化を図ることが可能となるレンズ装置、該レンズ装置を有する撮像装置を提供する。【解決手段】レンズを保持するレンズ保持部材と、開閉動作して光路を通過する光量を調整する絞り羽根と、前記光路に対して挿入、退避動作をする光学フィルタとを備えた光量調節装置と、を有し、  前記光学フィルタ、または前記絞り羽根と前記光学フィルタを含む光量調節装置が、前記レンズ保持部材に対して傾斜した状態で保持されるレンズ装置を、つぎのように構成する。すなわち、前記光学フィルタ、または前記絞り羽根と前記光学フィルタを含む光量調節装置が、前記傾斜による光学特性を維持した状態で前記レンズ保持部材に対して複数の方向から保持可能とした構成とする。【選択図】            図７
2007178491.tif 000002
【特許請求の範囲】
【請求項１】
レンズを保持するレンズ保持部材と、
開閉動作して光路を通過する光量を調整する絞り羽根と、前記光路に対して挿入、退避動作をする光学フィルタとを備えた光量調節装置と、
を有し、前記光学フィルタ、または前記絞り羽根と前記光学フィルタを含む光量調節装置が、前記レンズ保持部材に対して傾斜した状態で保持されるレンズ装置において、
前記光学フィルタ、または前記絞り羽根と前記光学フィルタを含む光量調節装置が、前記傾斜による光学特性を維持した状態で前記レンズ保持部材に対して複数の方向から保持可能に構成されていることを特徴とするレンズ装置。
【請求項２】
前記光学フィルタ、または前記絞り羽根と前記光学フィルタを含む光量調節装置は、同じ形状のものであることを特徴とする請求項１に記載のレンズ装置。
【請求項３】
前記光学フィルタ、または前記絞り羽根と前記光学フィルタを含む光量調節装置は、異なる形状のものであることを特徴とする請求項１に記載のレンズ装置。
【請求項４】
前記絞り羽根と前記光学フィルタとを備えた光量調節装置において、前記絞り羽根を開閉動作する駆動源とは別に、前記光学フィルタを駆動する駆動源が設けられ、これら両駆動源は独立して制御されることを特徴とする請求項１〜３のいずれか１項に記載のレンズ装置。
【請求項５】
前記光学フィルタは、ＮＤフィルタであることを特徴とする請求項１〜４のいずれか１項に記載のレンズ装置。
【請求項６】
請求項１〜５のいずれか１項に記載のレンズ装置を有することを特徴とする撮像装置。
【発明の詳細な説明】
【技術分野】
【０００１】
本発明は、レンズ装置、レンズ装置を有する撮像装置に関し、特にビデオカメラやデジタルスチルカメラ等の撮像装置に用いられる汎用性を有するレンズ装置に関するものである。
【背景技術】
【０００２】
近年、ビデオカメラやデジタルスチルカメラ等の撮像装置は様々な形態のものが発売されている。
その中には、光学性能が同じでも画像記録手段が異なる等でカメラ内部のレイアウトが異なるものが多くある。
例えば、記録媒体がカセットテープとＤＶＤ等のディスク等とでは記録手段がカメラ内部に占めるスペースが異なることから、カメラ全体のレイアウトも必然的に異なってくる。
そのため、カメラ装置の外形をできるだけ小さくしようとする場合、内部レイアウトの違いによってレンズ鏡筒の収納スペースも異なるようにする場合が多くなる。
【０００３】
このようなことから、光学性能が同じレンズ鏡筒を収納スペースの異なるカメラ装置に共用して搭載しようとした場合に、鏡筒の外形形状を変更する必要が多くなる。
一般的に、レンズ鏡筒の外形形状はアイリスユニットやモータ等のアクチュエイタ部分の影響を大きく受けるため、許容スペースの異なるカメラ装置に適用するには、レンズ鏡筒全体のレイアウト変更が必要となる。
例えば、被写体の撮影の際においては、一般的に光源は上側に位置することが多いので、光源がカメラ装置上方に有る場合に、ゴーストおよびフレアに対して効果の有る方向へ傾斜させる必要がある。
そのため、例えば、特許文献１では、アイリスユニットにおける光学フィルタを光軸直交面に対し傾斜させて設けることで、ゴースト、フレアによる画像の劣化を低減するようにしたレンズ鏡筒が提案されている。
【特許文献１】特開２００４―６１７４０号公報
【発明の開示】
【発明が解決しようとする課題】
【０００４】
ところで、収納スペースの異なるカメラ装置に、同一の光学性能のレンズ鏡筒を搭載しようとした場合に、このレンズ鏡筒をカメラ装置の収納スペース内に収めるため、例えば、光軸中心にレンズ鏡筒の位相を変更して搭載することが考えられる。
しかしながら、光学フィルタを光軸直交面に対し傾斜させて設けたレンズ鏡筒では、レンズ鏡筒の取り付け位相を変更すると、同様に光学フィルタの位相も変化するため、ゴースト、フレアの発生し易い傾斜方向となる可能性が生じる。
従って、収納スペースの異なるカメラ装置に同一の光学性能のレンズ鏡筒を搭載し、かつゴースト、フレアの発生が低減されたレンズ鏡筒を得るためには、収納スペースに応じたレイアウト変更をする必要が有る。
レイアウト変更において、特にアクチュエイタのレイアウト変更をするとなると大幅な変更が必要となる。
このようなレイアウト変更においては、共用できる部品が少なく、かつ固定鏡筒等のレンズ鏡筒を構成する主要部品も、新規に作成する必要が有り製造コスト等で無駄が多くなると言う問題点が生じる。
【０００５】
本発明は、上記課題に鑑み、主要部品を変更することなく、収納スペースの異なるカメラ装置に光学性能を維持した状態で使用することができ、製造コストの低減化を図ることが可能となるレンズ装置、該レンズ装置を有する撮像装置の提供を目的とする。
【課題を解決するための手段】
【０００６】
本発明は、上記課題を達成するために、以下のように構成したレンズ装置、該レンズ装置を有する撮像装置を提供するものである。
本発明のレンズ装置は、レンズを保持するレンズ保持部材と、開閉動作して光路を通過する光量を調整する絞り羽根と、前記光路に対して挿入、退避動作をする光学フィルタとを備えた光量調節装置と、
を有し、前記光学フィルタ、または前記絞り羽根と前記光学フィルタを含む光量調節装置が、前記レンズ保持部材に対して傾斜した状態で保持されるレンズ装置において、
前記光学フィルタ、または前記絞り羽根と前記光学フィルタを含む光量調節装置が、前記傾斜による光学特性を維持した状態で前記レンズ保持部材に対して複数の方向から保持可能に構成されていることを特徴としている。
また、本発明のレンズ装置は、前記光学フィルタ、または前記絞り羽根と前記光学フィルタを含む光量調節装置は、同じ形状のものであることを特徴としている。
また、本発明のレンズ装置は、前記光学フィルタ、または前記絞り羽根及び前記光学フィルタを含む光量調節装置は、異なる形状のものであることを特徴としている。
また、本発明のレンズ装置は、前記絞り羽根と前記光学フィルタとを備えた光量調節装置において、前記絞り羽根を開閉動作する駆動源とは別に、前記光学フィルタを駆動する駆動源が設けられ、これら両駆動源は独立して制御されることを特徴としている。
また、本発明のレンズ装置は、前記光学フィルタは、ＮＤフィルタであることを特徴としている。
また、本発明の撮像装置は、上記したいずれかに記載のレンズ装置を有することを特徴としている。
【発明の効果】
【０００７】
本発明によれば、主要部品を変更することなく共用したまま、収納スペースの異なるカメラ装置に光学性能を維持した状態で使用することができ、製造コストの低減化を図ることが可能となるレンズ装置、該レンズ装置を有する撮像装置を実現することができる。
【発明を実施するための最良の形態】
【０００８】
本発明を実施するための最良の形態を、以下の実施例により説明する。
【実施例】
【０００９】
以下に、本発明の実施例について説明する。
［実施例１］
実施例１においては、本発明を適用したレンズ鏡筒について説明する。
図１に、本実施例のレンズ鏡筒の分解斜視図を示す。
図１において、１は固定鏡筒、２は１群鏡筒、３は２群鏡筒、４は４群鏡筒、５は撮像素子保持枠である。
８はアイリスユニット、９はズームモータユニット、１０はズームラック、１１はズームセンサ、１２はフォーカスアクチュエイタ、１３はフォーカスセンサ、１４は第１のビス、１５は第２のビス、１６は第３のビス、１７は第４のビスである。
【００１０】
まず、図１を用いてレンズ鏡筒の全体構成を説明する。
固定鏡筒１は内部にレンズ保持部を備えており、それぞれレンズ（図示せず）を接着または熱カシメにより固定保持する。
１群鏡筒２は第１群レンズ（図示せず）を保持し、第１のビス１４により固定鏡筒１にビス止めされる。
撮像素子保持枠５は、ＣＣＤ等の撮像素子を取り付け可能な構造をしており第４のビス１７により固定鏡筒１にビス止めされる。
２群鏡筒３は第２レンズ群を保持し、ズームラック１０がラック取り付け部３ａに取り付けられ、スリーブ部２ｂ及びＵ溝部３ｃがそれぞれ１群鏡筒２と撮像素子保持枠５により支持された複数のガイドバー（図示せず）によりガイドされている。
このガイドにより２群鏡筒３は光軸に平行な方向以外への移動を規制される。
また、固定筒１に第３のビス１６により取り付けられたズームモータユニット９のシャフト９ａにズームラック１０が螺合している。
以上の構成により、２群鏡筒３はズームモータユニット９の駆動により２群鏡筒３は光軸方向へ移動しズーミングを行う。
この時、固定鏡筒に取り付けられたズームセンサ１１により２群鏡筒３のリセット位置の規定がされる。
【００１１】
４群鏡筒４は第４レンズ群を保持しており、スリーブ部４ｂ及びＵ溝部４ｃが前記ガイドバーによりガイドされて光軸以外の方向への移動を規制されており、フォーカスアクチュエイタ１２に駆動され光軸方向へ移動する。
フォーカスセンサ１３は４群鏡筒４の位置を検出するセンサであり、この信号により４群鏡筒４の移動量を決定し、４群鏡筒４の移動によりフォーカシングを行う。
アイリスユニット８は光軸に対して角度を持つ方向からアイリスユニット８が形成する開口部がレンズ鏡筒の光軸と略一致するように固定鏡筒１に設けた開口部１ｆに差し込む。
この時、アイリスユニット８に設けた位置決めボス８ｄは、固定鏡筒１の第１のガイド１ｂによりガイドされる。
更に、固定鏡筒１の取り付け面１ｅ及びアイリスユニット８の取り付け面８ｅの間にスペーサ１８を挟んだ状態で、第２のビス１５をビス穴１ｄにねじ込むことで固定される。
尚、取り付け面８ｅにはＵ字形状の穴が設けられている。
【００１２】
つぎに、アイリスユニット８について説明する。
図２、本実施例におけるアイリスユニットの斜視図を示す。
アイリスユニット８は、第１の羽根８ａ及び第２の羽根８ｂを備え該羽根により光軸周りに形成する開口部の面積を変化することで光量調整を行う。
また、第２の羽根８ｂにはＮＤフィルタ８ｃが取り付けられており、小絞り時には開口部がＮＤフィルタ８ｃにより覆われ光量調整が行なわれる。
また、第１の羽根８ａ、第２の羽根８ｂ及びＮＤフィルタ８ｃはアイリスベース８ｆ及びアイリス蓋８ｇのいずれかにガイドされているので、移動方向はアイリスベース８ｆに沿った方向である。
【００１３】
つぎに、本実施例のレンズ鏡筒について説明する。
図３に、本実施例におけるレンズ鏡筒の断面図を示す。
図３において、１９は撮像素子である。
図３に示すように、アイリスユニット８はレンズ鏡筒の光軸に対して傾斜を持って取り付けられている。
したがって、アイリスユニット８内部のＮＤフィルタ８ｃも光軸に対して傾斜を有している。
このため、光源２０による光線２１がＮＤフィルタ８ｃで反射した光線２２は、２群鏡筒３が保持するレンズ２３の範囲外に行くことから、レンズ２３の表面で再反射して撮像素子１９内へ行くのを防止することができる。
これにより、フレア及びゴーストの発生を防止することが可能となる。
尚、図３に示すように、本実施例のレンズ鏡筒では、ＮＤフィルタ８ｃの傾斜方向はＮＤフルタのエッジ８ｆが光源の方向を向く方向とすれば有効であり、逆方向の傾斜では、よりゴースト及びフレアが発生し易くなる。
一般的に、カメラ上方に光源が有る頻度が高いことから図３に示す方向にＮＤフィルタを傾斜させると、ゴースト及びフレアの発生を防止できる可能性が高くなる。
【００１４】
つぎに、形状（収納スペース）の異なるカメラ装置に、レンズ鏡筒を搭載する場合について説明する。
図４に、第１のカメラ装置３１と第１のカメラ装置３１とは形状の異なる第２のカメラ装置３２に、レンズ鏡筒３０を搭載する場合について説明する図を示す。図４はカメラ装置の正面より見た図であり、図４（ａ）は第１のカメラ装置３１にレンズ鏡筒３０を装着した第１形態を示す図である。
また、図４（ｂ）は第２のカメラ装置３２にレンズ鏡筒３０を装着した第２形態を示す図である。
上記第１形態の場合には、図４（ａ）に示されるように、レンズ鏡筒３０はカメラ装置のスペース内に収納されている。
しかしながら、上記第２形態の場合には、図４（ｂ）に示されるように、レンズ鏡筒３０のアイリスユニット８部がカメラ装置よりはみ出してしまい、カメラ装置内にレンズ鏡筒３０が収納できない状態となる。
これらに対して、図４（ｃ）に示すように、第２形態よりレンズ鏡筒３０を光軸中心で略１８０°回転させる第３形態を採ると、アイリスユニット８の出っ張り部の位相が変わるので第２のカメラ装置３２内のスペースにレンズ鏡筒３０が収納可能となる。
ところが、レンズ鏡筒３０をそのまま光軸中心で略１８０°回転させた第３形態では、ＮＤフィルタ８ｃも光軸中心で回転してしまうので、ＮＤフィルタ８ｃの傾斜方向が逆となり、カメラ装置上方の光源によるゴースト、フレア発生の頻度が高くなる。
【００１５】
このようなことから、本実施例では上記第３形態のように、光軸中心に略１８０°回転させた状態においても、ゴースト、フレアの発生を低減したカメラ装置を得るために、固定鏡筒１に異なる方向からアイリスユニット８を装着可能とした。
図５は固定鏡筒１へのアイリスユニット８の取り付け状態において、異なる取り付け形態を示すレンズ鏡筒の側面図であり、図６はレンズ鏡筒を光軸中心で切断した断面図である。
【００１６】
図５において、アイリスユニット８の位置決めボス８ｄが固定鏡筒１の第２のガイド１ｃに嵌合している。
更に、固定鏡筒１の取り付け面１ｅ及びアイリスユニット８の取り付け面８ｅの間にスペーサ１８を挟んだ状態で第２のビス１５により固定されている。
尚、スペーサ１８はテーパ形状となっており、固定鏡筒１とアイリスユニット８との取り付け方向に応じて接触面が合うようにテーパ面方向を合わせて取り付けられている。
【００１７】
図６に示すように、ＮＤフィルタ８ｃは光軸に対して傾斜を持っている。
また、その傾斜方向は図５に示すようにアイリスユニト８の位置決めボス８ｄが第１のガイド１ｂにより位置決めされた状態とは異なる傾斜方向である。
従って、図５及び図６で示すようにアイリスユニット８の位置決めボス８ｄが固定鏡筒１の第２のガイド１ｃに嵌合して位置決めした状態であるレンズ鏡筒を光軸中心で略１８０°回転させた状態では図４に示す第２のカメラ装置３２内のスペースに収まる。
また、同時にカメラ装置上方に位置する光源によるゴースト、フレアを低減するのに有利な方向に、ＮＤフィルタが傾斜しておりゴースト、フレアに対して有利となる。
尚、固定鏡筒１にはアイリスユニット８を異なる２方向から取り付け可能としたために、アイリスユニット８が収まる以上のスペースが設けられることになる。そのため、アイリスユニット８を装着した状態で開口部ができてしまう。
このような開口部が有ると、遮光性及び防塵性が問題となるので、その開口部をテープ（図示せず）で塞ぐ処理を、本実施例では施している。
【００１８】
［実施例２］
実施例２では、光量調節装置におけるＮＤフィルタの形態を、実施例１とは別の形態とした。
すなわち、実施例１では、ＮＤフィルタが絞り羽根に一体的に貼り付けられた方式が採られているが、本実施例ではＮＤフィルタと絞り羽根とを別駆動する方式が採られている。
図７に、本発明の実施例２におけるレンズ鏡筒の断面図を示す。
図７（ａ）、（ｂ）は、ＮＤユニットが固定鏡筒にそれぞれ異なる姿勢で取り付けられた状態を示す図である。
図７において、１０８はＮＤユニット、１０８ｃはＮＤフィルタ、１０９は絞りユニット、１０９ａは第１の絞り羽根、１０９ｂは第２の絞り羽根である。
１０１は第２の固定鏡筒、１０３は第２の２群鏡筒であり、それ以外は実施例１と同じである。
従って、実施例２は、ＮＤフィルタ１０８ｃを駆動する駆動源とは別に、第１の絞り羽根１０９ａ及び第２の絞り羽根１０９ｂとを駆動する駆動源を設けたことが実施例１と異なる。
更に、ＮＤユニット１０８及び絞りユニット１０９形状に対応するように、第２の固定鏡筒１０１及び第２の２群鏡筒１０３の形状が変更になっている点が実施例１とは異なる。
【００１９】
図７（ａ）、（ｂ）において、絞りユニット１０９は第２の固定鏡筒１０１の側面より光軸に対して略垂直にガイドされビス（図示せず）により取り付けられている。
また、ＮＤユニット１０８は、実施例１におけるアイリスユニット８と同様に、第２の固定鏡筒１０１に設けられたガイド（図示せず）により図７（ａ）、（ｂ）それぞれに示されるように異なる姿勢で取り付け可能となっている。
従って、図７（ａ）に示す方向にＮＤユニット１０８が取り付いている状態では、光源が光源１１０方向に有る場合にゴースト及びフレアの発生を低減する効果が高いレンズ鏡筒となる。
一方、図７（ｂ）に示す方向にＮＤユニット１０８が取り付いている状態では、光源が光源１１１方向に有る場合にゴースト及びフレアの発生を低減する効果が高いレンズ鏡筒となる。
一般的に、カメラ装置上方に光源がある頻度が高いため、図７（ａ）に示す形態では光源１１０が上方に位置するようにカメラ装置に設置すればゴースト及びフレアに有利なカメラ装置を得る。
一方、図７（ｂ）に示す形態では光源１１１が上方に位置するよう光軸中心に略１８０°回転させた状態でカメラ装置に設置すれば、ゴースト及びフレアに有利なカメラ装置を得る。つまり、ゴースト及びフレアの発生頻度を高めることなく、内部スペースの異なる複数のカメラ装置に設置可能なレンズ鏡筒を得ることが可能となる。
【００２０】
以上の説明では、本発明の実施例１及び実施例２では固定鏡筒に対して異なる２方向からアイリスユニットまたはＮＤユニットを取り付け可能としたが、本発明においては２方向に限定されるものではない。３方向以上から取り付け可能としても良いのは勿論のことである。
また、本発明の実施例１及び実施例２では固定鏡筒に同形状のアイリスユニットまたはＮＤユニットを異なる２方向から取り付け可能としたが、本発明においては２方向に限定されるものではない。固定鏡筒に対して異なる形状のアイリスユニットまたはＮＤユニットを異なる２方向から取り付け可能に構成しても良い。以上の本発明の実施例１及び実施例２によれば、固定鏡筒に対して複数方向からアイリスユニットまたはＮＤユニットを取り付け可能としたことで、許容スペースの異なるカメラ装置に装着可能となる。
そして、これにより、ゴースト及びフレアの発生を低減できるレンズ鏡筒を得ることができる。その結果、レンズ鏡筒を構成する主要部品を変更することなく共用したまま、使用することができ、製造コストの低減化を図ることが可能となる。
【図面の簡単な説明】
【００２１】
【図１】本発明の実施例１におけるレンズ鏡筒の分解斜視図。
【図２】本発明の実施例１におけるアイリスユニットの斜視図。
【図３】本発明の実施例１におけるレンズ鏡筒の断面図。
【図４】本発明の実施例１における形状の異なるカメラ装置に、レンズ鏡筒を搭載する場合について説明するカメラ装置の正面より見た図である。図４（ａ）は第１のカメラ装置にレンズ鏡筒を装着した第１形態を示す図である。図４（ｂ）は第２のカメラ装置にレンズ鏡筒を装着した第２形態を示す図である。図４（ｃ）は第２形態よりレンズ鏡筒を光軸中心で略１８０°回転させ、第２のカメラ装置にレンズ鏡筒を装着した第３形態を示す図である。
【図５】本発明の実施例１における固定鏡筒へのアイリスユニットの取り付け状態において、異なる取り付け形態を示すレンズ鏡筒の側面図。
【図６】本発明の実施例１におけるレンズ鏡筒を示す断面図。
【図７】本発明の実施例２におけるＮＤフィルタと絞り羽根とを別駆動する方式によるレンズ鏡筒を示す断面図。図７（ａ）、（ｂ）は、ＮＤユニットが固定鏡筒にそれぞれ異なる姿勢で取り付けられた状態を示す図。
【符号の説明】
【００２２】
１：固定鏡筒
１ｂ：第１のガイド
１ｃ：第２のガイド
８：アイリスユニット
８ｃ：ＮＤフィルタ
８ｄ：位置決めボス
１９：撮像素子
３０：レンズ鏡筒
３１：第１のカメラ装置
３２：第２のカメラ装置
１０１：第２の固定鏡筒
１０３：第２の２群鏡筒
１０８：ＮＤユニット
１０８ｃ：ＮＤフィルタ
１０９：絞りユニット
【図１】
2007178491.tif 000003
【図２】
2007178491.tif 000004
【図３】
2007178491.tif 000005
【図４】
2007178491.tif 000006
【図５】
2007178491.tif 000007
【図６】
2007178491.tif 000008
【図７】
2007178491.tif 000009